(57)【要約】      （修正有）【課題】腸腰筋を発達させることができ、腰痛の予防やスタイルの改善といった問題を根本的に解決することができる歩行訓練用履物および歩行訓練のための履物装着具を提供する。【解決手段】中底１１ｄは、踵部分１１ａがクッション材で形成され、踵部分１１ａより前側の履物底部分１１ｂが硬質プラスチック材で形成されている。履物底１１は、本底１１ｃを下にして水平面に置いたとき、中底１１ｄがつま先側から踵部分１１ａに向かって下向きに傾斜するよう形成されている。中底１１ｄは、踵部分１１ａより前側の履物底部分１１ｂがつま先側が滑るよう踵部分１１ａに比べて摩擦係数が小さくなっている。履物底１１のつま先部には、着地したときつま先上がりになるよう着脱可能なリフト部材が固定されてもよい。【選択図】図１
0003186032.tif 000002
【実用新案登録請求の範囲】
【請求項１】
つま先側が滑るよう踵部分より前側部分が前記踵部分に比べて摩擦係数が小さい中底を有し、
前記履物底を水平面に置いたとき、前記中底がつま先側から踵側に向かって下向きに傾斜していることを、
特徴とする歩行訓練用履物。
【請求項２】
前記踵部分がクッション材で形成され、つま先側が滑るよう前記踵部分より前側部分が前記踵部分に比べて摩擦係数が小さい中敷きと、
着地したときつま先上がりになるよう前記履物底のつま先部に着脱可能に固定されたリフト部材とを、
有することを特徴とする請求項１記載の歩行訓練用履物。
【請求項３】
踵部分がクッション材で形成され、つま先側が滑るよう前記踵部分より前側部分が前記踵部分に比べて摩擦係数が小さい中敷きと、
着地したときつま先上がりにするためのリフト部材と、
前記リフト部材を履物底のつま先部に着脱可能に固定するための固定手段とを、
有することを特徴とする歩行訓練のための履物装着具。
【考案の詳細な説明】
【技術分野】
【０００１】
本考案は、歩行訓練用履物および歩行訓練のための履物装着具に関する。
【背景技術】
【０００２】
昔から日本人は、床の上での正座やあぐら、和式トイレでのしゃがんだ姿勢など、大腿直筋（太もも）と下腿三頭筋（ふくらはぎ）とをよく使った生活を行ってきたため、自然にそれらの筋肉を主に使う立ち方や歩き方になっていた。このように、日本人は、主に大腿直筋や下腿三頭筋、背筋などを使い、大臀筋や腸腰筋などをあまり使わないため、背筋が固くなり、腰を痛めやすい傾向がある。また、このような筋肉の使い方により、太ももやふくらはぎが太く、足が短くなるため、あまりスタイルが良いとはいえない。
【０００３】
これに対し、外国人、特に黒人は、腸腰筋が発達しているため、骨盤が前傾しており、日本人より重心が前になっている。このため、立つときに背筋だけでなく腹筋も使用することとなり、腰への負担が軽減され、腰を痛めにくくなっている。また、大臀筋も良く使用するため、ふくらはぎが細く、足が長くなり、スタイルが良い。このことから、日本人も腸腰筋を発達させることにより、腰を痛めにくくしたり、スタイルを良くしたりすることができると考えられる。
【０００４】
なお、従来、腰痛を予防するための靴（例えば、特許文献１参照）や、スタイルを良くするための靴（例えば、特許文献２参照）が開発されている。しかしながら、これらの靴は、一時的にその効果を発揮することはできるが、履かなくなった途端もとの状態に戻ってしまい、腰痛の予防やスタイルの改善といった問題を根本的に解決するものではない。
【先行技術文献】
【特許文献】
【０００５】
【特許文献１】特開２００４−２４８９４２号公報
【特許文献２】特開２００６−２０６５６号公報
【考案の概要】
【考案が解決しようとする課題】
【０００６】
日本人と外国人の身体のつくりや動きの比較から、腸腰筋を発達させることにより、腰痛を予防したりスタイルを改善したりすることができると考えられるが、腸腰筋を発達させることができる靴はいまだ存在していない。
【０００７】
本考案は、このような課題に着目してなされたもので、腸腰筋を発達させることができ、腰痛の予防やスタイルの改善といった問題を根本的に解決することができる歩行訓練用履物および歩行訓練のための履物装着具を提供することを目的とする。
【課題を解決するための手段】
【０００８】
本考案者は、腸腰筋を発達させるためには、腸腰筋を意識した歩き方を習得するのが最も効果的であると考え、以下の考察を行った。まず、腸腰筋に一番力が入る瞬間は、アキレス腱と膝が伸びて真っ直ぐになった脚が、身体の後ろ側で、踵で地面を蹴るときである。このとき、腸腰筋に張力が働き、引っ張られているため、非常に強い力が出る。この動きを行うためには、踵のみで歩けばよく、これにより腸腰筋を意識しやすくなる。本発明者は、以上の考察に基づいて本考案に至った。
【０００９】
すなわち、本考案に係る歩行訓練用履物は、つま先側が滑るよう踵部分より前側部分が前記踵部分に比べて摩擦係数が小さい中底を有し、前記履物底を水平面に置いたとき、前記中底がつま先側から踵側に向かって下向きに傾斜していることを、特徴とする。
【００１０】
本考案に係る歩行訓練用履物は、中底の踵部分より前側部分が踵部分に比べて摩擦係数が小さく、つま先側が滑るため、つま先側で地面を蹴りにくく、また、中底がつま先側から踵側に向かって下向きに傾斜しているため、歩くとき踵で地面をとらえることになる。そのまま脚を伸ばした状態で歩くことにより、腸腰筋に力が入り、踵で地面を蹴る歩き方を行うことができる。これにより、腸腰筋を意識した歩き方を習得しやすい。一旦、腸腰筋を意識した歩き方を覚えてしまえば、裸足の時や他の履物を履いているときでも腸腰筋を意識して歩くことができるため、腰痛の予防やスタイルの改善といった問題を根本的に解決することができる。なお、中底は、中敷きにより構成されていてもよい。
【００１１】
本考案に係る歩行訓練用履物は、前記踵部分がクッション材で形成され、つま先側が滑るよう前記踵部分より前側部分が前記踵部分に比べて摩擦係数が小さい中敷きと、着地したときつま先上がりになるよう前記履物底のつま先部に着脱可能に固定されたリフト部材とを、有することが好ましい。この場合、簡単な構成で、容易に製造することができる。中敷きとリフト部材とを取り外すことにより、通常の履物として使用することができる。リフト部材は、着脱可能であれば、どのように固定されていてもよい。踵部分より前側部分は、表面が滑らかなプラスチック材で形成されていることが好ましい。特に、中底の踵部分より前側部分は、アクリル樹脂その他の硬質プラスチック、セラミック等の殆どしならない材質から成ることが好ましい。この場合、歩くとき、つま先側で踏ん張りづらくなり、踵で地面をとらえることになって、腸腰筋を意識しやすくなる。
【００１２】
本発明に係る歩行訓練のための履物装着具は、踵部分がクッション材で形成され、つま先側が滑るよう前記踵部分より前側部分が前記踵部分に比べて摩擦係数が小さい中敷きと、着地したときつま先上がりにするためのリフト部材と、前記リフト部材を履物底のつま先部に着脱可能に固定するための固定手段とを、有することを特徴とする。
【００１３】
本発明に係る歩行訓練のための履物装着具は、一般の履物に中敷きとリフト部材とを装着するだけで、本考案に係る歩行訓練用履物を構成することができ、腸腰筋を意識した歩き方を訓練することができる。このため、手持ちの靴に取り付けることができ、新たに専用の履物を購入する必要がないので、経済的である。また、訓練を行いたいときに、中敷きとリフト部材とを装着して容易に訓練を始めることができる。固定手段は、リフト部材を着脱可能であれば、どのような構成でリフト部材を固定するようになっていてもよい。
【考案の効果】
【００１４】
本考案によれば、腸腰筋を発達させることができ、腰痛の予防やスタイルの改善といった問題を根本的に解決することができる歩行訓練用履物および歩行訓練のための履物装着具を提供することができる。
【図面の簡単な説明】
【００１５】
【図１】本考案の実施の形態の歩行訓練用履物を示す側面図である。
【図２】本考案の実施の形態の歩行訓練のための履物装着具の使用状態を示す側面図である。
【図３】図２に示す歩行訓練のための履物装着具の（ａ）中敷きを示す斜視図、（ｂ）リフト部材および固定手段を示す斜視図である。
【考案を実施するための形態】
【００１６】
以下、図面に基づき本考案の実施の形態について説明する。
図１は、本考案の実施の形態の歩行訓練用履物を示している。
図１に示すように、歩行訓練用履物１０は、サンダルから成り、履物底１１とバンド１２とを有している。
【００１７】
履物底１１は、踵部分１１ａがクッション材で形成され、踵部分１１ａより前側の履物底部分１１ｂが硬質プラスチック材で形成されている。前側の履物底部分１１ｂは、つま先部分および土踏まず部分を構成する。履物底１１は、本底１１ｃを下にして水平面に置いたとき、中底１１ｄがつま先側から踵部分１１ａに向かって下向きに傾斜するよう形成されている。中底１１ｄは、前側の履物底部分１１ｂがつま先側が滑るよう踵部分１１ａに比べて摩擦係数が小さくなっている。踵部分１１ａは、前側の履物底部分１１ｂに比べて軟らかくなっている。
バンド１２は、１対から成り、使用者の足１の甲および踵の後ろ側を押さえて、履物底１１を足１に固定するようになっている。
【００１８】
次に、作用について説明する。
歩行訓練用履物１０は、中底１１ｄの、踵部分１１ａより前側の履物底部分１１ｂが踵部分１１ａに比べて摩擦係数が小さく、つま先側が滑るため、つま先側で地面を蹴りにくくなっている。また、前側の履物底部分１１ｂは硬質プラスチック材から成って殆どしならないため、歩くとき、つま先側で踏ん張りづらい。さらに、中底１１ｄがつま先側から踵側に向かって下向きに傾斜しているため、歩くとき踵で地面をとらえることになる。そのまま脚を伸ばした状態で歩くことにより、腸腰筋に力が入り、踵で地面を蹴る歩き方を行うことができる。これにより、腸腰筋を意識した歩き方を習得しやすい。一旦、腸腰筋を意識した歩き方を覚えてしまえば、裸足の時や他の履物を履いているときでも腸腰筋を意識して歩くことができるため、腰痛の予防やスタイルの改善といった問題を根本的に解決することができる。
【００１９】
図２および図３は、本考案の実施の形態の歩行訓練のための履物装着具を示している。
図２および図３に示すように、本考案の実施の形態の歩行訓練のための履物装着具は、中敷き２１とリフト部材２２と１対の固定手段２３とを有している。
【００２０】
図３に示すように、中敷き２１は、矩形状のプラスチック板２１ａと、そのプラスチック板２１ａの一端に接続されたクッション材２１ｂとを有している。図２に示すように、中敷き２１は、プラスチック板２１ａの他端がつま先側に、クッション材２１ｂが踵側になるよう履物２の中に入れて使用可能に構成されている。中敷き２１は、履物２の中に入れたとき、プラスチック板２１ａが踵側より前側の、中底２ａのつま先部分および土踏まず部分に対応する位置に配置され、クッション材２１ｂが中底２ａの踵部分に対応する位置に配置される。プラスチック板２１ａは、つま先側が滑るようクッション材２１ｂに比べて摩擦係数が小さくなっている。また、プラスチック板２１ａは、硬質プラスチック材から成り、殆どしならないため、歩くときつま先側で踏ん張りづらくなっている。
【００２１】
図３に示すように、リフト部材２２は、固い樹脂製で、円筒形状を成している。リフト部材２２は、履物２のつま先部分の幅と同じ程度の長さを有している。１対の固定手段２３は、それぞれ紐状の部材から成り、リフト部材２２の内部を貫通して取り付けられている。各固定手段２３は、両端部を面ファスナーで固定可能になっている。
【００２２】
図２に示すように、本考案の実施の形態の歩行訓練のための履物装着具は、リフト部材２２を履物２の幅方向に沿って、履物２の本底２ｂのつま先部に配置し、各固定手段２３をそれぞれ履物２の甲および踵の後ろ側に締め付けて固定可能になっている。各固定手段２３によりリフト部材２２は本底２ｂのつま先部に着脱可能に固定され、着地したとき、リフト部材２２で、履物２のつま先が上がるよう構成されている。
【００２３】
次に、作用について説明する。
本発明の実施の形態の歩行訓練のための履物装着具は、一般の履物２に中敷き２１とリフト部材２２とを装着するだけで、本考案に係る歩行訓練用履物を構成することができ、腸腰筋を意識した歩き方を訓練することができる。このため、手持ちの靴に取り付けることができ、新たに専用の履物を購入する必要がないので、経済的である。また、訓練を行いたいときに、中敷き２１とリフト部材２２とを装着して容易に訓練を始めることができる。中敷き２１とリフト部材２２とを取り外すことにより、通常の履物２として使用することができる。固定手段２３により、履物２に対してリフト部材２２を容易に着脱することができる。腸腰筋を意識した歩き方を訓練して腸腰筋を発達させることにより、腰痛を予防したりスタイルを改善したりすることができる。
【符号の説明】
【００２４】
１  足
１０  歩行訓練用履物
１１  履物底
１１ａ  踵部分
１１ｂ  前側の履物底部分
１１ｃ  本底
１１ｄ  中底
１２  バンド
２  履物
２ａ  中底
２ｂ  本底
２１  中敷き
２１ａ  プラスチック板
２１ｂ  クッション材
２２  リフト部材
２３  固定手段
【図１】
0003186032.tif 000003
【図２】
0003186032.tif 000004
【図３】
0003186032.tif 000005